(57)【要約】【課題】建物内への雨水の浸入を防止すると共に線材の引込作業が容易な線材引込構造及び線材引込具を提供する。【解決手段】屋根構造体１に敷設された屋根材２の上から線材引込具１０を介して建物内へ線材３が引込まれている線材引込構造の線材引込具１０に、屋根材２及び屋根構造体１を貫通している案内部１１ａ、及び案内部１１ａの上端の鍔部１１ｂを有する案内部材１１と、案内部材１１の上方を覆うように屋根材２上に取付けられている基板部１２ａ、鍔部１１ｂが挿入されている開口部１２ｄ、開口部１２ｄ内に突出している突起部１２ｆ、基板部１２ａから上方へ延出し軒側を開放した状態で開口部１２ｄを囲んでいる周壁部１２ｇを有する本体部材１２と、周壁部１２ｇを上方から閉鎖している蓋部材１３とを具備させ、線材３を、軒側から周壁部１２ｇの内部に導入させると共に開口部１２ｄ及び案内部１１ａを通って建物内に引込ませる。【選択図】図２
2019199720.tif 000002
【特許請求の範囲】
【請求項１】
屋根構造体に敷設された屋根材の上から線材引込具を介して建物内へ線材が引込まれている線材引込構造であって、
前記線材引込具は、
屋根材及び屋根構造体を貫通している筒状の案内部、及び該案内部の上端から外方へ延出している鍔部を有している案内部材と、
該案内部材の上方を覆うように前記屋根材上に取付けられている平板状の基板部、前記鍔部の直径よりも大きく前記基板部を貫通しており前記鍔部が挿入されている開口部、該開口部の内周面から内方へ突出しており前記鍔部の上方へ延出している突起部、前記基板部から上方へ延出しており軒側を開放した状態で前記開口部を囲んでいる周壁部を有している本体部材と、
該本体部材に取付けられており、前記周壁部を外側から覆うと共に前記周壁部を上方から閉鎖している蓋部材と
を具備し、線材が、軒側から前記周壁部の内部に導入されていると共に、前記開口部及び前記案内部を通って建物内に引込まれていることを特徴とする線材引込構造。
【請求項２】
前記蓋部材は、
軒側へ向かうほど前記基板部に接近するように傾斜していることを特徴とする請求項１に記載の線材引込構造。
【請求項３】
請求項１又は請求項２に記載の線材引込構造に使用される線材引込具であって、
筒状の案内部、及び該案内部の上端から外方へ延出している鍔部を有している案内部材と、
該案内部材の上方を覆っている平板状の基板部、前記鍔部の直径よりも大きく前記基板部を貫通しており前記鍔部が挿入されている開口部、該開口部の内周面から内方へ突出しており前記鍔部の上方へ延出している突起部、及び前記基板部から上方へ延出しており一部を開放した状態で前記開口部を囲んでいる周壁部を有している本体部材と、
該本体部材に取付けられ、前記周壁部を外側から覆うと共に前記周壁部を上方から閉鎖している蓋部材と
を具備していることを特徴とする線材引込具。
【発明の詳細な説明】
【技術分野】
【０００１】
本発明は、屋根材の上から線材引込具を介して建物内へ線材が引込まれている線材引込構造及び線材引込具に関するものである。
【背景技術】
【０００２】
本出願人は過去に、建物の屋根を構成する垂木や野地板等の屋根構造体に敷設された屋根材上から建物内へ、太陽電池モジュールからの電線や、テレビアンテナからのアンテナ線等の線材を引込むための線材引込具を提案している（特許文献１及び特許文献２）。これらの線材引込具は、上端面及び軒側端面が開放されている容器状の本体部材と、本体部材の上方を覆う蓋部材と、を備えている。本体部材は、容器状の内部に、上下に貫通している挿通孔が形成されている。
【０００３】
上記の線材引込具の屋根材への取付けは、まず、屋根構造体及び屋根材に形成した貫通孔に対して、挿通孔が一致するように本体部材を屋根材上に取付ける。そして、軒側端面から線材を本体部材の内部に導入し、挿通孔及び貫通孔を通して建物内へ延出させる。その後、本体部材に上方から蓋部材を取付けることにより、線材の引込みと線材引込具の取付けとが完了する。このように、線材引込具を介して建物内に線材を引込ませることにより、線材を伝った雨水の建物内への浸入が防止される。
【０００４】
上記の線材引込具では、屋根構造体及び屋根材に形成した貫通孔への線材の接触を防止すると共に、屋根構造体の下方への雨水の浸入を防止するための、筒状の部材又は筒状の部位を有している。具体的には、特許文献１の線材引込具では、本体部材の上方から挿通孔を通して貫通孔に挿入される筒状のスリーブ材を有している。また、特許文献２の線材引込具では、貫通孔に挿入される筒状のガイド部が本体部材に一体に設けられている。
【０００５】
しかしながら、特許文献１の技術では、本体部材の挿通孔が貫通孔とずれた状態で本体部材が屋根材に取付けられてしまうと、スリーブ材を挿入することができなくなる恐れがあった。また、特許文献１の技術では、本体部材の上方からスリーブ材を挿通孔及び貫通孔に挿入していることから、スリーブ材の挿入が不十分な状態でも本体部材に蓋部材を取付けることが可能であるため、そのような状態で取付けられた場合、スリーブ材と挿通孔及び貫通孔との間を通して、建物内へ雨水が浸入してしまう恐れがある。
【０００６】
一方、特許文献２の技術では、屋根材の上面に対する垂直方向から貫通孔が傾いて形成されると、ガイド部を貫通孔に挿入して本体部材を屋根材上に取付ける際に、本体部材の下面が屋根材の上面に対して傾いた状態となり、本体部材を屋根材に取付けることができなくなる恐れがあった。
【０００７】
このようなことから、特許文献１や特許文献２のような従来の技術では、本体部材の取付作業や、屋根構造体及び屋根材への貫通孔の孔明作業を、慎重に行う必要があり、線材の引込作業に手間や時間を要していた。
【先行技術文献】
【特許文献】
【０００８】
【特許文献１】特許第４８６９１４１号公報
【特許文献２】特許第５５８６５７４号公報
【発明の概要】
【発明が解決しようとする課題】
【０００９】
そこで、本発明は、上記の実情に鑑み、建物内への雨水の浸入を防止すると共に線材の引込作業が容易な線材引込構造及び線材引込具の提供を課題とするものである。
【課題を解決するための手段】
【００１０】
上記の課題を解決するために、本発明に係る線材引込構造は、「屋根構造体に敷設された屋根材の上から線材引込具を介して建物内へ線材が引込まれている線材引込構造であって、前記線材引込具は、屋根材及び屋根構造体を貫通している筒状の案内部、及び該案内部の上端から外方へ延出している鍔部を有している案内部材と、該案内部材の上方を覆うように前記屋根材上に取付けられている平板状の基板部、前記鍔部の直径よりも大きく前記基板部を貫通しており前記鍔部が挿入されている開口部、該開口部の内周面から内方へ突出しており前記鍔部の上方へ延出している突起部、前記基板部から上方へ延出しており軒側を開放した状態で前記開口部を囲んでいる周壁部を有している本体部材と、該本体部材に取付けられており、前記周壁部を外側から覆うと共に前記周壁部を上方から閉鎖している蓋部材とを具備し、線材が、軒側から前記周壁部の内部に導入されていると共に、前記開口部及び前記案内部を通って建物内に引込まれている」ものである。
【００１１】
ここで、「屋根構造体」としては、野地板、垂木、を例示することができる。また、「屋根材」としては、板金屋根材、スレート、アスファルトシングル、瓦、を例示することができる。
【００１２】
また、「線材」としては、「太陽電池モジュール、風力発電装置、商用電力線、照明装置、等に接続される電線」、「アンテナに接続されるアンテナ線」、「電話やインターネット、ケーブルテレビ等に接続される通信線」、「太陽熱温水器やスプリンクラー等に接続される配水管」、「空調装置に接続される配管」、「ガス管等のその他の配管」、を例示することができる。
【００１３】
本構成の線材引込構造は、屋根材及び屋根構造体に形成した貫通孔に案内部材を上方から挿入し、開口部内に案内部材の上端の鍔部が嵌合されるように、本体部材を上方から屋根材上に取付ける。そして、線材を、周壁部の開放されている軒側から本体部材の内側へ延出させると共に、開口部及び案内部材を通して建物内へ引込み、本体部材に蓋部材を上から取付けることにより構築することができる。
【００１４】
本構成の線材引込構造によれば、本体部材の開口部において、案内部材の鍔部の上方へ延出している突起部を有しているため、貫通孔への案内部の挿入が不十分で、鍔部が屋根材から上方へ高く突出していても、本体部材を屋根材上に取付ける際に、突起部が鍔部に当接して案内部材を下方へ押圧することができる。これにより、貫通孔に対して案内部を十分に挿入させることができ、案内部材と貫通孔との間を通した建物内への雨水の浸入を防止することができる。
【００１５】
また、本構成の線材引込構造によれば、案内部材を、本体部材の下方に位置させた別部材としているため、屋根材及び屋根構造体の貫通孔に挿入されて屋根材上に突出している案内部材の鍔部に対して、開口部が嵌合されるように本体部材を屋根材上に載置すれば良く、本体部材の取付作業を容易なものとすることができる。また、案内部材を本体部材とは別部材としているため、貫通孔が屋根材上面に対する垂直方向から傾いていたとしても、本体部材を屋根材上に取付けることができ、従来のように孔あけ作業を慎重に行う必要はない。
【００１６】
また、本発明に係る線材引込構造は、上記の構成に加えて、「前記蓋部材は、軒側へ向かうほど前記基板部に接近するように傾斜している」ものとすることができる。
【００１７】
ところで、線材引込構造において、線材が挿通される線材引込具の内部では、本体部材の開口部及び案内部材を通して建物内と連通しているため、外気の温度が低い時に、開口部及び案内部材を通して建物内の暖かい空気が線材引込具の内部に導入されると、線材引込具の内部で結露が発生する。この際に、線材引込具が取付けられている屋根の傾斜が緩いと、蓋部材の内側で結露した水が軒方向へ流れ難くなり、水滴となって開口部及び案内部材を通して建物内へ落下してしまう恐れがある。
【００１８】
本構成の線材引込構造によれば、蓋部材を、本体部材の基板部に対して軒側が低くなるように傾斜させているため、蓋部材の内側で結露した水を軒方向へ流れ易くすることができ、結露した水が開口部へ向かって落下することを防止することができる。従って、本構成の線材引込構造を傾斜が緩い屋根に構築した場合でも、線材引込具の内部で結露した水が建物内へ落下してしまうことを回避させることができる。
【００１９】
本発明に係る線材引込具は、「筒状の案内部、及び該案内部の上端から外方へ延出している鍔部を有している案内部材と、該案内部材の上方を覆っている平板状の基板部、前記鍔部の直径よりも大きく前記基板部を貫通しており前記鍔部が挿入されている開口部、該開口部の内周面から内方へ突出しており前記鍔部の上方へ延出している突起部、及び前記基板部から上方へ延出しており一部を開放した状態で前記開口部を囲んでいる周壁部を有している本体部材と、該本体部材に取付けられ、前記周壁部を外側から覆うと共に前記周壁部を上方から閉鎖している蓋部材とを具備している」ものである。
【００２０】
本構成の線材引込具は、上記の線材引込構造に使用されるものである。この線材引込具は、周壁部の開放されている部位を軒側へ向けて使用する。また、本体部材において開口部の内周面から内方へ突起部を延出させているため、当該線材引込具を取付ける際に、貫通孔への案内部の挿入が不十分な場合、突起部が鍔部に当接して案内部材を下方へ押圧することができる。このように、この線材引込具を使用して線材を建物内へ引込むようにすることにより、上記の作用効果が発揮される。加えて、本構成の線材引込具は、案内部材を本体部材とは別部材としているため、案内部材と本体部材とを一体にした場合と比較して、本体部材を成形するための金型を小さくすることができ、製造にかかるコストの増加を抑制させることができる。
【発明の効果】
【００２１】
以上のように、本発明の効果として、建物内への雨水の浸入を防止すると共に線材の引込作業が容易な線材引込構造及び線材引込具を提供することができる。
【図面の簡単な説明】
【００２２】
【図１】（ａ）は本発明の一実施形態である線材引込構造を示す斜視図であり、（ｂ）は（ａ）を軒側から見た説明図である。
【図２】図１の線材引込構造の断面図である。
【図３】図１の線材引込構造を分解して示す斜視図である。
【図４】線材引込具を分解して示す断面図である。
【図５】（ａ）は線材引込具における本体部材の斜視図であり、（ｂ）は本体部材の平面図である。
【図６】（ａ）は線材引込具における蓋部材を上から見た斜視図であり、（ｂ）は蓋部材を上下反転させて示す斜視図である。
【図７】図５とは異なる実施形態の本体部材を示す平面図である。
【発明を実施するための形態】
【００２３】
本発明の一実施形態である線材引込具１０、及び線材引込具１０を使用した線材引込構造について、図１乃至図６を参照して詳細に説明する。本実施形態の線材引込具１０は、屋根構造体１に敷設された屋根材２の上から建物内へ線材３を引込むためのものである。
【００２４】
線材引込具１０は、図２乃至図４示すように、筒状の案内部材１１と、案内部材１１の上方を覆う本体部材１２と、本体部材１２に上方から取付けられる蓋部材１３と、を備えている。また、線材引込具１０は、案内部材１１の外周を覆う筒状の第一防水材１４と、本体部材１２の下面に貼り付けられる第二防水材１５と、案内部材１１の内部に充填される第三防水材１６と、蓋部材１３の下面に取付けられる第四防水材１７と、を備えている。線材引込具１０の平面視において、本体部材１２の外形は略長方形であり、以下では、本体部材１２の長辺と平行な方向を長手方向と称すると共に、長手方向に直交する方向を幅方向と称する。
【００２５】
案内部材１１は、筒状の案内部１１ａと、案内部１１ａの一方の端部から外方へ延出している鍔部１１ｂと、を有している。
【００２６】
本体部材１２は、主に図５に示すように、外形が略長方形の平板状の基板部１２ａと、基板部１２ａの長手方向の中央よりも一方の短辺に近い側で貫通している開口部１２ｄと、開口部１２ｄの周囲から上方へ筒状に短く延出している円筒堰部１２ｅと、開口部１２ｄ内に突出している平板状の突起部１２ｆと、を有している。開口部１２ｄは、内径が上下方向に一定であり、突起部１２ｆを除いた部位が上方へ開放されている。
【００２７】
基板部１２ａの一方の短辺（以下、棟側短辺１２ｂと称す）は、中央を頂点にして両外側へ向かうに従って反対側の短辺（以下、軒側短辺１２ｃと称す）に近付くように屈曲している。開口部１２ｄの内径は、案内部材１１の鍔部１１ｂの外径よりも大きく形成されている。基板部１２ａの底面から円筒堰部１２ｅの上面までの距離は、案内部材１１の鍔部１１ｂの厚さよりも長い。
【００２８】
突起部１２ｆは、開口部１２ｄの内周面における棟側短辺１２ｂ側から内方（軒側短辺１２ｃ側）へ向かって突出している。突起部１２ｆは、上面が円筒堰部１２ｅの上面と一致しており、下面が基板部１２ａの下面から鍔部１１ｂの厚さ分よりも上方に位置している。
【００２９】
また、本体部材１２は、基板部１２ａから上方へ延出している周壁部１２ｇを、有している。周壁部１２ｇは、開口部１２ｄを棟側短辺１２ｂ側から軒側短辺１２ｃに向かって囲んでいるが、軒側短辺１２ｃ側は開放されている。周壁部１２ｇの高さは、円筒堰部１２ｅの高さの２倍である。
【００３０】
周壁部１２ｇは、図５（ｂ）に示すように、平面視において、棟側短辺１２ｂからの距離が、幅方向の中央で最も小さく、両側へ向かうほど離れるように傾斜した状態で、基板部１２ａの長辺付近まで延出している。そして、基板部１２ａの長辺付近で屈曲して、長辺と平行に軒側短辺１２ｃまで延出している。周壁部１２ｇの上面には、棟側短辺１２ｂに近い端部付近と、軒側短辺１２ｃに近い端部付近に、蓋部材１３を取付けるためのネジ孔１２ｈが形成されている。
【００３１】
更に、本体部材１２は、一対の第一堰部１２ｉと、第二堰部１２ｊと、を有している。第一堰部１２ｉは、夫々周壁部１２ｇの内側で、開口部１２ｄと軒側短辺１２ｃとの間で基板部１２ａから周壁部１２ｇよりも低く上方へ延出している。第二堰部１２ｊは、一対の第一堰部１２ｉよりも軒側短辺１２ｃ側で基板部１２ａから周壁部１２ｇよりも低く上方へ延出している。
【００３２】
一対の第一堰部１２ｉは、周壁部１２ｇにおける平行に延出している部位の内周面から幅方向の中央側へ向かうほど軒側短辺１２ｃに近付くように斜めに延出している。一対の第一堰部１２ｉは、幅方向の中央側の端部が自由端となっている。一対の第一堰部１２ｉは、開口部１２ｄを長手方向に投影した場合の範囲に含まれる部位が、その外側の部位よりも高さが低く形成されている。一対の第一堰部１２ｉにおける高い部位は、周壁部１２ｇの高さの３／４の高さであり、低い部位は、周壁部１２ｇの高さの１／３の高さである。
【００３３】
第二堰部１２ｊは、幅方向中央が棟側短辺１２ｂ側へ突出するように屈曲しており、周壁部１２ｇに近い両端部が自由端となっている。第二堰部１２ｊの高さは、円筒堰部１２ｅの高さと同じである。つまり、第二堰部１２ｊは、第一堰部１２ｉにおける低い部位よりも高く形成されている。
【００３４】
また、本体部材１２は、基板部１２ａを貫通している複数の取付孔１２ｋを、有している。取付孔１２ｋは、周壁部１２ｇの外側で棟側短辺１２ｂの両端付近の部位と、一対の第一堰部１２ｉよりも棟側短辺１２ｂ側の部位との、四箇所に設けられている。取付孔１２ｋは、本体部材１２を屋根材２上に取付けるための後述する取付ビス１８が挿通されるものである。取付孔１２ｋの周縁部は、基板部１２ａの上面よりも高く形成されている。
【００３５】
また、本体部材１２は、周壁部１２ｇにおける開口部１２ｄに近いネジ孔１２ｈと周壁部１２ｇの内周面との間に、溝部１２ｌを、有している。
【００３６】
蓋部材１３は、平板状で枠状の載置部１３ａと、載置部１３ａの外周縁から下方へ延出している蓋周壁部１３ｂと、載置部１３ａの枠内を閉鎖しており載置部１３ａよりも上方へ膨出している天壁部１３ｃと、を有している。また、蓋部材１３は、載置部１３ａを貫通している複数の組立孔１３ｄと、天壁部１３ｃの下面から下方へ延出している一対の突壁部１３ｅと、を有している（図６を参照）。
【００３７】
載置部１３ａの外形は、本体部材１２の周壁部１２ｇの外形よりもやや大きい略相似形状である。蓋周壁部１３ｂは、本体部材１２の周壁部１２ｇの高さの１／２の長さで下方へ延出している。
【００３８】
天壁部１３ｃは、平面視において、載置部１３ａの枠内の中央部に位置している天壁中央部１３ｃａと、天壁中央部１３ｃａから軒側短辺１２ｃ側へ延出している天壁後部１３ｃｂと、天壁中央部１３ｃａ及び天壁後部１３ｃｂの幅方向の端縁と載置部１３ａの内周縁とを繋いでいる天壁周縁部１３ｃｃと、を有している。
【００３９】
天壁中央部１３ｃａは、載置部１３ａよりも上方に位置しており、棟側短辺１２ｂ側から軒側短辺１２ｃ側へ向かうほど低くなるように傾斜している（図４を参照）。天壁中央部１３ｃａは、線材引込具１０が組立てられた状態で、棟側短辺１２ｂに近い端縁が、本体部材１２の開口部１２ｄの中心の上方に位置しており、軒側短辺１２ｃに近い端縁が、第一堰部１２ｉよりも軒側短辺１２ｃ側に位置している。
【００４０】
天壁後部１３ｃｂは、天壁中央部１３ｃａの軒側短辺１２ｃに近い端縁から、長手方向における位置が載置部１３ａの軒側短辺１２ｃに近い端縁と同じ位置まで、載置部１３ａと平行に延出している。天壁中央部１３ｃａ及び天壁後部１３ｃｂは、平坦である。一方、天壁周縁部１３ｃｃは、湾曲面であり、天壁中央部１３ｃａ及び天壁後部１３ｃｂに連続するように繋がっている。
【００４１】
組立孔１３ｄは、本体部材１２の三つのネジ孔１２ｈと対応する部位に形成されている。一対の突壁部１３ｅは、天壁周縁部１３ｃｃの下面において長手方向の位置が天壁中央部１３ｃａと天壁後部１３ｃｂと同じ位置から下方へ延出している。突壁部１３ｅの下面は、載置部１３ａの下面と同一面上にある。
【００４２】
第一防水材１４は、詳細は後述するが、線材引込具１０を取付ける施工現場において、シート状の部材を円筒状に丸めた上で、上端部に、複数の切込を入れて外方へ屈曲させたものである。この第一防水材１４は、両面に剥離紙が貼られたシート状の状態のままで出荷時される。第二防水材１５は、本体部材１２の基板部１２ａの外形よりも一回り小さいシート状で、開口部１２ｄと対応する部位に開口部１２ｄよりも内径が大きい孔１５ａが形成されている。第二防水材１５は、製品の出荷時に、予め本体部材１２の下面に貼り付けられている。第一防水材１４及び第二防水材１５は、ブチルゴムシートにより形成されている。
【００４３】
第三防水材１６は、プラシール（登録商標）のような耐水性や防水性や絶縁性を有した合成樹脂からなるパテである。第三防水材１６は、製品の出荷時に、所定量が同梱されている。第四防水材１７は、発泡ゴムである。第四防水材１７は、製品の出荷時に、予め、蓋部材１３の天壁部１３ｃの下面において、一対の突壁部１３ｅよりも軒側短辺１２ｃ側の部位に、幅方向の全長に亘って貼り付けられている。
【００４４】
線材引込具１０の案内部材１１は、合成樹脂の射出成形、又はアルミニウム合金の鋳造、の何れかにより形成されている。また、本体部材１２及び蓋部材１３は、アルミニウム合金の鋳造により形成されている。
【００４５】
続いて、上記の線材引込具１０を使用して屋根材２の上から建物内へ線材３を引込む線材引込構造の構築について説明する。本実施形態では、屋根構造体１が野地板、屋根材２がスレート、である場合を例示する。
【００４６】
まず、屋根材２における線材引込具１０を取付ける部位に、屋根材２及び屋根構造体１を貫通するように、上方から案内部材１１の案内部１１ａの直径よりも若干大きい内径の貫通孔４を形成する。次に、シート状の第一防水材１４の片方の面の剥離紙を剥がし、屋根材２の上面から上端をある程度突出させた状態で、剥離紙を剥がした面を外側にして貫通孔４の内周面に貼り付けながら巻き付ける。そして、貫通孔４の周方向において重なっている部分を切除した上で、屋根材２の上面から突出している部位に複数の切込を入れて外方へ屈曲させ、屋根材２の上面にも貼り付ける。
【００４７】
その後、第一防水材１４の残りの面の剥離紙を剥がした上で、第一防水材１４の筒状になっている部位に、鍔部１１ｂを上に向けた状態の案内部材１１の案内部１１ａを挿入する。この際に、第一防水材１４において案内部材１１の鍔部１１ｂの下面が、第一防水材１４における屋根材２上に貼り付けられている部位に当接するように、案内部材１１を圧入する。これにより、案内部材１１と貫通孔４との間が第一防水材１４により封止され、建物内への雨水の浸入を防止することができる。
【００４８】
次に、基板部１２ａの下面に第二防水材１５が貼り付けられた状態の本体部材１２を、棟側短辺１２ｂを棟側へ向けた状態で、開口部１２ｄ内に案内部材１１の鍔部１１ｂが挿入されるように屋根材２に載置する。そして、上方から取付孔１２ｋに通した取付ビス１８を屋根構造体１までねじ込んで、本体部材１２を屋根材２上に取付ける。
【００４９】
この際に、案内部材１１の貫通孔４への挿入が不十分で、鍔部１１ｂが屋根材２から上方へ高く突出していた場合、本体部材１２の突起部１２ｆが上方から鍔部１１ｂに当接し、取付ビス１８の締付けにより本体部材１２が下方へ移動することで、突起部１２ｆが案内部材１１を下方へ押圧する。これにより、案内部材１１が貫通孔４に十分に挿入された状態となる。
【００５０】
本体部材１２を屋根材２に取付けたら、線材３を上方から開口部１２ｄ及び案内部１１ａへ挿通して建物内へ引込ませると共に、開口部１２ｄの上方で軒側へ屈曲させて周壁部１２ｇの開放されている軒側短辺１２ｃ側から軒側へ延出させる。この際に、線材３を、第一堰部１２ｉにおける低い部位の上方を通るようにする。また、複数の線材３を建物内へ引込む場合は、開口部１２ｄよりも軒側では幅方向に並べる。
【００５１】
そして、開口部１２ｄ及び案内部材１１と、線材３との間を埋めるように、粘土状の第三防水材１６を上方から開口部１２ｄ及び案内部１１ａの内部に充填して止水する（図２を参照）。その後、本体部材１２の上方から蓋部材１３を被せ、組立孔１３ｄを通した取付ネジ１９をネジ孔１２ｈにねじ込んで締付ける。この際に、蓋部材１３の下面に取付けられている発泡ゴムの第四防水材１７が弾性変形し、蓋部材１３と線材３との間が止水される（図１（ｂ）を参照）。これにより、屋根材２上に線材引込具１０が取付けられた状態となり、屋根材２の上から線材引込具１０を介して建物内へ線材３が引込まれている線材引込構造が構築される（図１（ａ）を参照）。
【００５２】
ここで、蓋部材１３の天壁部１３ｃにおける天壁中央部１３ｃａは、棟側から軒側へ向かうほど低くなるように傾斜していることから、線材引込構造を構築した状態では、図２に示すように、天壁中央部１３ｃａは、軒側へ向かうほど基板部１２ａに接近するように傾斜していることとなる。つまり、線材引込具１０を屋根材２に取付けた状態では、天壁中央部１３ｃａが屋根材２の上面に対して軒側へ向かうほど低くなるように傾斜している。そして、この天壁中央部１３ｃａは、高くなっている棟側の端縁が開口部１２ｄ上方に位置しているため、蓋部材１３の内側で結露した場合、その水を開口部１２ｄよりも軒方向へ流れ易くすることができ、結露した水が開口部１２ｄへ落下することを防止することができる。
【００５３】
蓋部材１３の内側で結露し、開口部１２ｄよりも軒側に落下した水は、本体部材１２の基板部１２ａ上を軒側へ流下し、一対の第一堰部１２ｉ、及び第二堰部１２ｊに誘導された後に、基板部１２ａの軒側端縁から外部の屋根材２上に排出される。
【００５４】
一方、線材３を伝った雨水の線材引込具１０の内部への浸入は、線材３と蓋部材１３との間を閉鎖している第四防水材１７により阻止される。また、線材３の下方における線材引込具１０の内部への雨水の浸入は、本体部材１２の軒側端縁付近の第二堰部１２ｊにより堰き止められる。仮に、第二堰部１２ｊと周壁部１２ｇとの間から雨水が浸入しても、それよりも棟側の一対の第一堰部１２ｉに堰き止められ、更に棟側の円筒堰部１２ｅにより堰き止められる。線材引込具１０の内部に雨水が浸入したとしても、内部で結露した水と同様に、一対の第一堰部１２ｉ、及び第二堰部１２ｊにより軒側へ誘導されて外部に排出される。このように、円筒堰部１２ｅ、第一堰部１２ｉ、及び第二堰部１２ｊにより、雨水が浸入し難く外部に排出させ易い構成となっているため、雨水が開口部１２ｄに到達し難く、開口部１２ｄ及び案内部材１１を介する建物内への雨水や結露水の浸入が効果的に防止される。
【００５５】
このように、本実施形態によれば、本体部材１２の開口部１２ｄにおいて、案内部材１１の鍔部１１ｂの上方へ延出している突起部１２ｆを有しているため、貫通孔４への案内部１１ａの挿入が不十分で、鍔部１１ｂが屋根材２から上方へ高く突出していても、本体部材１２を屋根材２上に取付ける際に、突起部１２ｆが鍔部１１ｂに上方から当接して案内部材１１を下方へ押圧することができる。これにより、貫通孔４に対して案内部１１ａを十分に挿入させることができ、案内部材１１と貫通孔４との間を通した建物内への雨水の浸入を防止することができる。
【００５６】
また、本実施形態によれば、案内部材１１を、本体部材１２の下方に位置させた別部材としているため、屋根材２及び屋根構造体１の貫通孔４に挿入されて屋根材２上に突出している案内部材１１の鍔部１１ｂに対して、開口部１２ｄが嵌合されるように本体部材１２を屋根材２上に載置すれば良く、本体部材１２の取付作業を容易なものとすることができる。また、案内部材１１を本体部材１２とは別部材としているため、貫通孔４が屋根材２上面に対する垂直方向から傾いていたとしても、本体部材１２を屋根材２上に取付けることができ、従来のように孔あけ作業を慎重に行う必要はない。
【００５７】
更に、本実施形態によれば、蓋部材１３の天壁中央部１３ｃａを、屋根材２の上面に対して軒側へ向かうほど低くなるように傾斜させているため、本実施形態の線材引込構造を、傾斜が緩い屋根に構築した場合でも、線材引込具１０の蓋部材１３の内側で結露した水が、開口部１２ｄよりも軒側へ流れ易く、結露した水が開口部１２ｄへ向かって落下することを防止することができる。
【００５８】
また、本実施形態によれば、本体部材１２の開口部１２ｄ内で突出している突起部１２ｆを、棟側から軒側へ突出させている。換言すると、本体部材１２の突起部１２ｆを開口部１２ｄ内において軒側から棟側へ突出させていないため、以下のような利点がある。詳述すると、開口部１２ｄ内で軒側から棟側へ突起部を突出させたとすると、上方から開口部１２ｄ及び案内部材１１に挿通された線材３を軒側へ屈曲させた時に、線材３の屈曲の内側に突起部が位置する。その場合、線材３の曲率が小さいと突起部に当り易くなることから、線材３の曲率を大きくする必要があり、曲率が大きくなることで線材３が断線し易くなる。これに対して、本実施形態では、突起部１２ｆを、軒側から棟側へ突出させていないため、線材３の曲率が大きくなることを抑制することができ、線材３の断線を抑制することができる。
【００５９】
また、本実施形態によれば、本体部材１２の開口部１２ｄの内径が、案内部材１１の鍔部１１ｂの外径よりも大きいため、屋根材２上に本体部材１２を取付けた時に、線材３が挿通される部位の内径が、上方ほど大きくなる。これにより、開口部１２ｄ及び案内部材１１に挿通された線材３を軒側へ屈曲させる時に、その曲率を小さくすることができ、上記と同様の作用効果を奏することができる。
【００６０】
また、本実施形態によれば、開口部１２ｄに近い一対の第一堰部１２ｉに、低い部位を形成し、当該部位の上方で線材３を通すようにしているため、線材引込具１０全体の高さを低くすることが可能となる。このように、線材引込具１０を高さが低いと、例えば、線材引込具１０の上方に太陽電池モジュールを設置する場合、屋根材２からの太陽電池モジュールの高さを低くすることができる利点がある。
【００６１】
以上、本発明について好適な実施形態を挙げて説明したが、本発明は上記の実施形態に限定されるものではなく、本発明の要旨を逸脱しない範囲において、種々の改良及び設計の変更が可能である。なお、以下では、構成が同じ部位については同一の符号を付し、詳細な説明は省略する。
【００６２】
例えば、上記の実施形態では、本体部材１２の突起部１２ｆを一つ有したものを示したが、これに限定するものではなく、図７（ａ）に示すように、突起部１２ｆを二つ有するようにしても良いし、図７（ｂ）に示すように、突起部１２ｆを三つ有するようにしても良い。詳述すると、図７（ａ）では、開口部１２ｄの内周面における幅方向の両側から、夫々突起部１２ｆを突出させている。また、図７（ｂ）では、開口部１２ｄの内周面における棟側と、幅方向の両側とから、夫々突起部１２ｆを突出させている。このように、突起部１２ｆを複数有するようにしても、上記と同様の作用効果を奏することができる。図７の本体部材１２と、上記実施形態の本体部材１２との相違点は、突起部１２ｆの数や位置のみであり、同一の構成には同一の符号を付して説明は省略する。
【００６３】
また、上記の実施形態では、本体部材１２の突起部１２ｆを、開口部１２ｄの上端縁において突出させものを示したが、これに限定するものではなく、開口部１２ｄの上下方向の中途において突起部１２ｆを突出させても良い。
【００６４】
また、上記の実施形態では、屋根材２をスレートとしたものを示したが、これに限定するものではなく、板金屋根材、アスファルトシングル、瓦としても良い。
【符号の説明】
【００６５】
１  屋根構造体
２  屋根材
３  線材
４  貫通孔
１０  線材引込具
１１  案内部材
１１ａ  案内部
１１ｂ  鍔部
１２  本体部材
１２ａ  基板部
１２ｄ  開口部
１２ｆ  突起部
１２ｇ  周壁部
１３  蓋部材
１３ａ  載置部
１３ｂ  蓋周壁部
１３ｃ  天壁部
１３ｃａ  天壁中央部
１３ｃｂ  天壁後部
１３ｃｃ  天壁周縁部
１４  第一防水材
１５  第二防水材
１６  第三防水材
１７  第四防水材
【図１】
2019199720.tif 000003
【図２】
2019199720.tif 000004
【図３】
2019199720.tif 000005
【図４】
2019199720.tif 000006
【図５】
2019199720.tif 000007
【図６】
2019199720.tif 000008
【図７】
2019199720.tif 000009